【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
表示制御装置と車載ネットワークを介してデータ通信可能に接続されている表示装置であって、
表示制御装置から前記車載ネットワークを介さずに映像データを受信する映像データ受信部（３ｅ）と、
前記映像データ受信部により受信された映像データに対応する映像を表示する表示部（３ｆ）と、
起動信号を前記車載ネットワークを介さずに前記表示制御装置に送信する起動信号送信部（３ｃ，３ｅ）と、
起動開始条件が成立したか否かを判定する開始条件判定部（１０ａ）と、
起動開始条件が成立したと前記開始条件判定部により判定されると、起動信号を前記起動信号送信部から前記車載ネットワークを介さずに前記表示制御装置に送信させ、前記表示制御装置を起動させる起動部（１０ｂ）と、を備える表示装置。
【請求項２】
前記起動信号送信部は、映像データが通信されるデータ通信線及び通信インタフェース部を用いて起動信号を前記車載ネットワークを介さずに前記表示制御装置に送信する請求項１に記載した表示装置。
【請求項３】
前記起動信号送信部は、映像データが通信されるデータ通信線とは異なるデータ通信線を用いて起動信号を前記車載ネットワークを介さずに前記表示制御装置に送信する請求項１に記載した表示装置。
【請求項４】
前記起動信号送信部は、映像データが通信される通信インタフェース部とは異なる通信インタフェース部を用いて起動信号を前記車載ネットワークを介さずに前記表示制御装置に送信する請求項１に記載した表示装置。
【請求項５】
前記起動信号送信部は、映像データが通信されるデータ通信線に表示装置の電源電圧を印加することで起動信号を前記車載ネットワークを介さずに前記表示制御装置に送信する請求項１に記載した表示装置。
【請求項６】
表示装置と車載ネットワークを介してデータ通信可能に接続されている表示制御装置であって、
映像データを前記車載ネットワークを介さずに表示装置に送信する映像データ送信部（２ｅ）と、
前記表示装置から前記車載ネットワークを介さずに起動信号を受信する起動信号受信部（２ｃ，２ｅ）と、
前記表示装置から前記車載ネットワークを介さずに起動信号が前記起動信号受信部により受信されたか否かを判定する受信判定部（１１ａ）と、
前記表示装置から前記車載ネットワークを介さずに起動信号が前記起動信号受信部により受信されたと前記受信判定部により判定されると、自装置を起動させ、映像データを前記映像データ送信部から前記車載ネットワークを介さずに前記表示装置に送信可能にさせる起動制御部（１１ｂ）と、を備える表示制御装置。
【請求項７】
表示制御装置から前記車載ネットワークを介さずに映像データを受信すると、その受信した映像データに対応する映像を表示し、起動開始条件が成立したと判定すると、起動信号を前記車載ネットワークを介さずに前記表示制御装置に送信させ、前記表示制御装置を起動させる表示装置（３）と、
表示装置から前記車載ネットワークを介さずに起動信号が受信されたと判定すると、自装置を起動させ、映像データを前記車載ネットワークを介さずに前記表示装置に送信可能にさせる表示制御装置（２）と、を備える表示制御システム。
【請求項８】
表示制御装置と車載ネットワークを介してデータ通信可能に接続され、表示制御装置から前記車載ネットワークを介さずに映像データを受信し、その受信した映像データに対応する映像を表示する表示部を備える表示装置（３）の制御部（３ａ）に、
起動開始条件が成立したか否かを判定する開始条件判定手順と、
起動開始条件が成立したと前記開始条件判定手順により判定すると、起動信号を前記車載ネットワークを介さずに前記表示制御装置に送信させ、前記表示制御装置を起動させる起動手順と、を実行させる起動プログラム。
【請求項９】
表示装置と車載ネットワークを介してデータ通信可能に接続され、映像データを前記車載ネットワークを介さずに表示装置に送信する表示制御装置（２）の制御部（２ａ）に、
前記表示装置から前記車載ネットワークを介さずに起動信号が受信されたか否かを判定する受信判定手順と、
前記表示装置から前記車載ネットワークを介さずに起動信号が受信されたと前記受信判定手順により判定すると、自装置を起動させ、映像データを前記車載ネットワークを介さずに前記表示装置に送信可能にさせる起動制御手順と、を実行させる起動制御プログラム。
【手続補正２】
【補正対象書類名】明細書
【補正対象項目名】０００７
【補正方法】変更
【補正の内容】
【０００７】
請求項１に記載した表示装置によれば、映像データ受信部（３ｅ）は、表示制御装置から車載ネットワークを介さずに映像データを受信する。表示部（３ｆ）は、映像データ受信部により受信された映像データに対応する映像を表示する。起動信号送信部（３ｃ，３ｅ）は、起動信号を車載ネットワークを介さずに表示制御装置に送信する。開始条件判定部（１０ａ）は、起動開始条件が成立したか否かを判定する。起動部（１０ｂ）は、起動開始条件が成立したと開始条件判定部により判定されると、起動信号を起動信号送信部から車載ネットワークを介さずに表示制御装置に送信させ、表示制御装置を起動させる。
【手続補正３】
【補正対象書類名】明細書
【補正対象項目名】０００８
【補正方法】変更
【補正の内容】
【０００８】
起動開始条件が成立すると、起動信号を車載ネットワークを介さずに表示制御装置に送信させ、表示制御装置を起動させるようにした。これにより、表示装置を起動させることに追従して表示制御装置を適切に起動させることができる。
【手続補正４】
【補正対象書類名】明細書
【補正対象項目名】０００９
【補正方法】変更
【補正の内容】
【０００９】
請求項６に記載した表示制御装置によれば、映像データ送信部（２ｅ）は、映像データを車載ネットワークを介さずに表示装置に送信する。起動信号受信部（２ｃ，２ｅ）は、表示装置から車載ネットワークを介さずに起動信号を受信する。受信判定部（１１ａ）は、表示装置から車載ネットワークを介さずに起動信号が起動信号受信部により受信されたか否かを判定する。起動制御部（１１ｂ）は、表示装置から車載ネットワークを介さずに起動信号が起動信号受信部により受信されたと受信判定部により判定されると、自装置を起動させ、映像データを車載ネットワークを介さずに映像データ送信部から表示装置に送信可能にさせる。
【手続補正５】
【補正対象書類名】明細書
【補正対象項目名】００１０
【補正方法】変更
【補正の内容】
【００１０】
表示装置から車載ネットワークを介さずに起動信号が受信されると、自装置を起動させ、映像データを車載ネットワークを介さずに表示装置に送信可能にさせるようにした。これにより、請求項１に記載した表示制御装置と同様に、表示装置を起動させることに追従して表示制御装置を適切に起動させることができる。
【手続補正６】
【補正対象書類名】明細書
【補正対象項目名】００１１
【補正方法】変更
【補正の内容】
【００１１】
請求項７に記載した表示制御システムによれば、表示装置（３）は、表示制御装置から車載ネットワークを介さずに映像データを受信すると、その受信した映像データに対応する映像を表示し、起動開始条件が成立したと判定すると、起動信号を車載ネットワークを介さずに表示制御装置に送信させ、表示制御装置を起動させる。表示制御装置（２）は、表示装置から車載ネットワークを介さずに起動信号が受信されたと判定すると、自装置を起動させ、映像データを車載ネットワークを介さずに表示装置に送信可能にさせる。これにより、請求項１に記載した表示制御装置及び請求項６に記載した表示装置と同様に、表示装置を起動させることに追従して表示制御装置を適切に起動させることができる。